(57)【要約】【課題】可動式のタッチパネルによる操作の誤認を低減し、タッチパネルを用いたユーザインターフェースの操作性を向上させる。【解決手段】  撮像装置は、撮像部を有する本体部と、表示部が備えられ、表示部の表示面が本体部に対向せずに露出するように本体部に対して閉じられた閉位置と、該表示部が本体部に対して開かれた開位置とを含む複数の位置に移動可能な可動式のタッチパネルと、表示部に対するタッチ操作を検知可能であり、表示部の表示可能面よりも大きい範囲でタッチ操作を検知可能なタッチセンサとを有し、表示部が閉位置にある場合にはタッチセンサにおけるタッチ操作を検出する有効範囲を、表示部が開位置にある場合よりも広げるように制御する。【選択図】  図３
2014056351.tif 000002
【特許請求の範囲】
【請求項１】
撮像手段を有する本体部と、
表示手段が備えられ、該表示手段の表示面が前記本体部に対向せずに露出するように前記本体部に対して閉じられた閉位置と、該表示手段が前記本体部に対して開かれた開位置とを含む複数の位置に移動可能な可動式の表示部と、
前記表示手段に対するタッチ操作を検知可能であり、前記表示手段の表示可能面よりも大きい範囲でタッチ操作を検知可能なタッチ検出手段と、
前記表示部が前記閉位置にある場合に、前記タッチ検出手段がタッチ操作を検出する有効範囲を、前記表示部が前記開位置にある場合よりも広げるように制御する制御手段と、を備えることを特徴とする撮像装置。
【請求項２】
前記制御手段は、前記表示部が前記閉位置にある場合には、前記タッチ検出手段が有する接触検知領域の全体を前記有効範囲とし、前記表示部が前記開位置にある場合には、前記接触検知領域のうち前記表示可能面を覆っている領域を前記有効範囲とすることを特徴とする請求項１に記載の撮像装置。
【請求項３】
撮影中の被写体像を接眼部を通して見ることのできる電子ビューファインダを備え、
前記タッチ操作を検出する範囲を、前記電子ビューファインダに表示することを特徴とする請求項１または２に記載の撮像装置。
【請求項４】
前記表示手段に操作用のアイテムを表示し、前記アイテムの表示に対応した領域へのタッチ操作に応じて前記アイテムへの操作を検出するユーザインターフェースを提供する提供手段を更に備え、
前記提供手段は、前記タッチ操作を検出する範囲の大きさに応じて、前記アイテムの表示に対応した領域の大きさを変えることを特徴とする請求項１乃至３のいずれか１項に記載の撮像装置。
【請求項５】
前記表示手段に操作用のアイテムを表示し、前記アイテムの表示に対応した領域へのタッチ操作に応じてユーザの操作入力を検出する第１のユーザインターフェースと、前記タッチ検出手段へのジェスチャー入力に応じてユーザの操作入力を検出する第２のユーザインターフェースとを提供する提供手段を更に備え、
前記提供手段は、前記表示部が前記閉位置にある場合は前記第２のユーザインターフェースを提供し、前記表示部が前記閉位置以外にある場合に前記第１のユーザインターフェースを提供することを特徴とする請求項１乃至３のいずれか１項に記載の撮像装置。
【請求項６】
前記タッチ検出手段は、静電容量式のタッチパネルであることを特徴とする請求項１乃至５のいずれか１項記載の撮像装置。
【請求項７】
本体部と、
表示手段が備えられ、前記本体部に対して位置または姿勢を変更することが可能な表示部と、
前記表示手段に対するタッチ操作を検知可能なタッチ検出手段と、
前記表示部の前記本体部に対する位置または姿勢に基づいて、前記タッチ検出手段がタッチ操作を検出する有効範囲を変更する制御手段と、を備えることを特徴とする電子機器。
【請求項８】
撮像手段を有する本体部と、
表示手段が備えられ、該表示手段の表示面が前記本体部に対向せずに露出するように前記本体部に対して閉じられた閉位置と、該表示手段が前記本体部に対して開かれた開位置とを含む複数の位置に移動可能な可動式の表示部と、
前記表示手段に対するタッチ操作を検知可能であり、前記表示手段の表示可能面よりも大きい範囲でタッチ操作を検知可能なタッチ検出手段と、を有する撮像装置におけるタッチパネルの制御方法であって、
前記表示部の前記本体部に対する位置を検出する工程と、
前記検出する工程で検出された前記表示部の位置が前記閉位置である場合に、前記タッチ検出手段がタッチ操作を検出する有効範囲を、前記表示部が前記開位置にある場合よりも広げるように制御する制御工程と、を有することを特徴とするタッチパネルの制御方法。
【請求項９】
電子機器におけるタッチパネルの制御方法であって、
表示手段が備えられ、前記電子機器の本体部に対して位置または姿勢を変更することが可能な表示部の位置を検出する工程と、
タッチ検出手段により前記表示手段に対するタッチ操作を検出する工程と、
前記位置を検出する工程で検出された前記表示部の前記本体部に対する位置または姿勢に基づいて、前記タッチ操作を検出する工程でタッチ操作を検出するための有効範囲を変更する工程と、を有することを特徴とするタッチパネルの制御方法。
【請求項１０】
請求項８または９に記載のタッチパネルの制御方法の各工程をコンピュータに実行させるためのプログラム。
【発明の詳細な説明】
【技術分野】
【０００１】
本発明はタッチパネルによる操作が可能な撮像装置や電子機器、タッチパネルの制御方法に関する。
【背景技術】
【０００２】
タッチパネル操作手段の技術として、ファインダを使用して撮影する際と、液晶表示器（ＬＣＤ）を見ながら撮影する際でタッチパネルの操作形態を変える技術がある（特許文献１）。
【先行技術文献】
【特許文献】
【０００３】
【特許文献１】特開２００４−１６５９３４号公報
【発明の概要】
【発明が解決しようとする課題】
【０００４】
特許文献１に記載された撮像装置はＬＣＤ上にタッチパネルを配置し、ＬＣＤ上を接触検知範囲としている。しかし、ファインダを覗きながら撮像装置側に配置されたタッチパネルにより撮像装置を操作する際は、ＬＣＤ及びタッチパネルは使用者の視野外にあり、手探りでタッチパネルに操作入力を行なうことになる。その為、タッチパネルの接触検知範囲をより広くした方が操作性が向上する。
【０００５】
一方、ＬＣＤを見ながら撮影する際には、使用者はＬＣＤの外枠を持ち、撮像装置を支える事がある。このような操作状態においてタッチパネルの接触検知範囲を大きくしてしまうと、撮像装置を支える為にＬＣＤの外枠を持った際に、タッチパネルがこれを検知し、撮像装置が誤動作してしまう可能性がある。
【０００６】
本発明は上述したような課題に鑑みてなされたものであり、可動式のタッチパネルによる操作の誤認を低減し、タッチパネルを用いたユーザインターフェースの操作性を向上させることを目的とする。
【課題を解決するための手段】
【０００７】
上記の目的を達成するための本発明の一態様による撮像装置は、
撮像手段を有する本体部と、
表示手段が備えられ、該表示手段の表示面が前記本体部に対向せずに露出するように前記本体部に対して閉じられた閉位置と、該表示手段が前記本体部に対して開かれた開位置とを含む複数の位置に移動可能な可動式の表示部と、
前記表示手段に対するタッチ操作を検知可能であり、前記表示手段の表示可能面よりも大きい範囲でタッチ操作を検知可能なタッチ検出手段と、
前記表示部が前記閉位置にある場合に、前記タッチ検出手段がタッチ操作を検出する有効範囲を、前記表示部が前記開位置にある場合よりも広げるように制御する制御手段と、を備える。
【発明の効果】
【０００８】
本発明によれば、可動式のタッチパネルによる操作の誤認を低減し、タッチパネルを用いたユーザインターフェースの操作性を向上させることができる。
【図面の簡単な説明】
【０００９】
【図１】実施形態による撮像装置の外観図。
【図２】実施形態によるタッチパネルの構成図。
【図３】実施形態による撮像装置の要部を示すブロック図。
【図４】第１実施形態による処理を示すフローチャート。
【図５】第１実施形態によるアイコンの有効範囲を説明する図。
【図６】第１実施形態によるＥＶＦ表示の例を示す図。
【図７】使用者が実施形態の撮像装置を使用している際の外観図。
【図８】第２実施形態による処理を示すフローチャート。
【発明を実施するための形態】
【００１０】
以下、本発明の実施形態の一例を、添付の図面を参照しながら詳述する。
【００１１】
＜第１実施形態＞
図１は、第１実施形態に係る撮像装置の外観図である。撮像装置１００は、撮像装置本体である本体部１０１と、ヒンジ部１０２と、表示部２０１を有するタッチパネル１０３から構成されている。タッチパネル１０３は、所謂バリアングル式の液晶モニタを構成するものであり、ヒンジ部１０２を介して、本体部１０１に対して移動可能な可動式となっている。タッチパネル１０３は、図１（ａ）のように起立した位置、図１（ｂ）のように本体部１０１に収納した位置、図１（ｃ）のように反転した位置、図１（ｄ）のように本体部１０１に反転収納した位置へ移動する事ができる。なお、図１（ｄ）のように表示部２０１の表示面が本体部１０１に対向せずに露出するように本体部１０１に対して閉じられた状態におけるタッチパネル１０３の位置を閉位置という。また、図１（ａ）や図１（ｃ）のように、表示部２０１が本体部１０１に対して開かれた状態におけるタッチパネル１０３の位置を開位置という。
【００１２】
タッチパネル１０３は、図２（ａ）に示すように、表示部２０１と、外枠２０２と、タッチセンサ２０３で構成されている。図示のように、タッチセンサ２０３は、表示部２０１と外枠２０２を覆うように配置され、タッチ検出を行う。上述のように、撮像装置１００のファインダを覗きながらタッチパネル１０３により撮像装置を操作する際は、表示部２０１及びタッチパネル１０３は使用者の視野外にあり、手探りでタッチパネル１０３に操作入力を行なうことになる。
【００１３】
この場合、タッチセンサ２０３の接触検知範囲をより広くした方が、操作性が向上する。たとえば、図２（ａ）に示されるように表示部２０１と表示部２０１の外枠２０２とを接触検知範囲が覆うようにタッチセンサ２０３を配置し、図２（ｃ）に示されるようにタッチセンサ２０３の全領域をタッチ操作検出の有効範囲とする事が効果的である。他方、タッチパネル１０３をユーザが支持して操作するような場合は、外枠２０２までタッチ操作検出の有効範囲を広げると、誤入力が生じやすくなるので、図２（ｂ）に示されるように、有効範囲を狭めた方がよい。そのため、本実施形態では、タッチセンサ２０３によるタッチ操作検出の有効範囲を、図２（ｂ）に示すように表示部２０１の表示可能面の範囲に制限したり、図２（ｃ）に示すように表示部２０１と外枠２０２の範囲に広げたりすることができるようにしている。
【００１４】
図３は、撮像装置１００の内部構成の一例を示すブロック図である。図３において、撮像装置１００は、マイコン３０１、ＲＯＭ３０２、ＲＡＭ３０３、撮像部３０４、画像処理部３０５、記録媒体３０６、表示部２０１、操作部３０８、タッチセンサ２０３、電子ビューファインダ３１０を具備している。
【００１５】
マイコン３０１は、撮像装置１００のシステム制御を行なうマイクロコンピュータである。ＲＯＭ３０２、ＲＡＭ３０３はデータを保持する領域を持つ。ＲＯＭ３０２は不揮発性のメモリであり、ＲＡＭ３０３は揮発性メモリである。ＲＯＭ３０２には、マイコン３０１が動作する為のプログラムやジェスチャー入力をパターン認識する為のジェスチャーパターンデータが記録されている。ＲＡＭ３０３は、マイコン３０１が撮像装置１００を制御する際、作業領域として使用される。また、撮像装置１００がどのような設定をされているか、どのように動作しているかなどを示す本体情報を保持する。ＲＡＭ３０３に保存される設定情報としては、撮像装置１００が、録画モードで動作しているか、再生モードで動作しているかなどのモード情報などがある。
【００１６】
撮像部３０４は、被写体をデータ信号に変換し、マイコン３０１からの指示により画像データを生成し、画像処理部３０５へ出力する。画像処理部３０５は、撮像部３０４で生成された画像データのリサイズや輝度補正、映像圧縮などを行い、記録媒体３０６に出力する。記録媒体３０６は、画像処理部で得られた画像データを記録する。記録媒体３０６としては、例えば、ＳＤカード、Ｆｌａｓｈメモリ、ハードディスクなどがあげられる。
【００１７】
表示部２０１は、たとえば液晶ディスプレイなどにより構成される。表示部２０１には、撮像部３０４で撮影された画像データや、操作用のアイテムとしてのアイコンなどが表示される。操作部３０８は、撮像部３０４による撮影や、電源のＯＮ・ＯＦＦ切り替え信号をマイコン３０１に出力する。撮像装置１００の本体部１０１とタッチパネル１０３を接続するヒンジ部１０２も操作部３０８に含まれ、タッチパネル１０３（表示部２０１）が起立／旋回等、本体部１０１に対してどのような状態になっているかを示すための信号をマイコン３０１に出力する。
【００１８】
タッチセンサ２０３は、使用者が接触した位置の座標をマイコン３０１に出力する。マイコン３０１は、たとえば、タッチセンサ２０３から受け取った座標より使用者が表示部２０１に表示されているどのアイコンを接触したかを判断して、撮像装置１００の状態遷移指示、撮影パラメータの変更などを行う。ここで、状態遷移指示とは、例えばデジタルビデオカメラの場合、記録媒体の読み込みを行う再生可能な状態から記録媒体へ書き込みを行う撮影可能な状態への状態遷移指示を行うことである。また、撮影パラメータの変更とは、例えば記録媒体３０６に記録する動画像ファイルのビットレートの変更や、解像度の変更等である。タッチセンサ２０３としては、押された事のみを検知する感圧式のものや、ジェスチャー入力を検知可能な静電容量式のものなど、どのような方式のものでもよい。電子ビューファインダ３１０は、撮影中の被写体像を接眼部を通して見ることができるようにするもので、撮影された画像データや、アイコンなどの表示も行う。また、タッチセンサ２０３の接触検知範囲も表示する。
【００１９】
次に図４のフローチャートを用いて、本実施形態の撮像装置１００が、タッチパネル１０３が反転収納されているかを判断して、タッチセンサ２０３による接触検知の有効範囲を変更する一連の処理について説明する。なお、図４のフローチャートに示される処理は、マイコン３０１が、ＲＯＭ３０２に格納されたプログラムをＲＡＭ３０３に展開し実行することにより実現される。
【００２０】
Ｓ４０１において、マイコン３０１は、タッチパネル１０３（表示部２０１）が本体部１０１に対して反転収納されているか、すなわち、図１（ｄ）に示されるような閉位置にあるかを判断する。タッチパネル１０３が反転収納されているか否か（閉位置か否か）の判断は、操作部３０８より出力される「タッチパネル１０３（または表示部２０１）が撮像装置本体に対してどのような状態になっているかを示す信号」をもとになされる。タッチパネル１０３が反転収納されていればＳ４０２へ、反転収納されていればＳ４０５へ進む。
【００２１】
Ｓ４０２において、マイコン３０１は、タッチセンサ２０３より入力される座標位置の有効範囲を、図２（ｂ）に示すように、表示部２０１と外枠２０２を含む領域（タッチセンサ２０３の接触検知領域の全体）にする。次に、Ｓ４０３において、マイコン３０１は、表示部２０１に表示されたアイコンに対応するタッチ操作の領域（そのアイコンへのタッチ操作として検出するタッチセンサ２０３の検出エリア）を図５（ａ）に示すように、アイコンの表示領域よりも広げる。このとき、アイコンの検出エリアは、図５（ａ）に示すように、表示部２０１のみではなく、外枠２０２にかかってもよい。
【００２２】
次に、Ｓ４０４において、マイコン３０１は画像処理部３０５を制御して、図６の表示アイテム６０１に示すように、電子ビューファインダ３１０上に、タッチセンサ２０３より入力されるタッチ操作入力（座標位置）の有効範囲を表示する。表示アイテム６０１は、タッチセンサ２０３によるタッチ操作の有効範囲が、表示部２０１と外枠２０２を含む範囲であること（図２（ｃ））を使用者が容易に認識可能とする。
【００２３】
一方、Ｓ４０１でタッチパネル１０３が反転収納されていない、すなわちタッチパネル１０３が閉位置以外にあると判定された場合、処理はＳ４０５に進む。Ｓ４０５において、マイコン３０１は、タッチセンサ２０３より入力されるタッチ操作入力（座標位置）の有効範囲を、図２（ａ）に示すように、表示部２０１のみにする。次に、Ｓ４０６において、マイコン３０１は、表示部２０１に表示するアイコンに対応するタッチ操作の領域を図５（ｂ）に示すように、そのアイコンの表示部分のみにする。その後、Ｓ４０４において、マイコン３０１は、表示部２０１上の範囲が有効範囲であること（図２（ｂ））を示す表示アイテム６０２を、図６の表示アイテム６０１に替えて電子ビューファインダ３１０上に表示する。なお、表示部２０１上の範囲がタッチセンサ２０３の有効範囲である場合に、ステップＳ４０４において単に表示アイテム６０１を消去し、有効範囲を示す表示を行わないようにしてもよい。
【００２４】
以上説明したように、第１実施形態によれば、図７（ａ）のように表示部２０１の外枠２０２が撮像装置１００を支える為にユーザによって持たれたる可能性がない場合には、表示部２０１と外枠２０２を接触検知の有効範囲にする。他方、図７（ｂ）のように表示部２０１の外枠２０２が撮像装置１００を支える為にユーザによって持たれたる可能性のある場合には、表示部２０１の外枠２０２を接触検知の有効範囲にしないように制御する。このようにして、撮像装置１００を支える為の接触により撮像装置１００が操作されたと誤認識してしまう事を防止でき、かつ、接触検知範囲を広げる事により、操作性を向上させる事ができる。以上のように、第１実施形態によれば、可動式のタッチパネル１０３の本体部１０１に対する位置および／または姿勢（たとえば、閉位置や開位置）に基づいて接触検知の有効範囲を制御することにより、タッチパネルの操作性が向上する。
【００２５】
＜第２実施形態＞
第１実施形態では、タッチパネル１０３（表示部２０１）が図１（ｄ）のような閉位置（反転収納された状態）にあっても、タッチパネル１０３により提供されるユーザインターフェースは、操作用のアイテムへのタッチ操作を行なうものであった。しかし、表示部２０１が反転収納されている際は、使用者は、図７（ａ）のような姿勢で撮影している事が多いと考えられる。この際に、使用者は、電子ビューファインダ３１０を覗いている為、表示部２０１に表示されたアイコンを用いて撮像装置１００を操作する事は困難である。また、手探りでタッチセンサ２０３にタッチして操作することになる為、タッチセンサ２０３の有効範囲は広い方が望ましい。
【００２６】
そこで、第２実施形態では、タッチパネル１０３が図１（ｄ）のような閉位置となった場合に、撮像装置１００の状態遷移指示、撮影パラメータの変更などをタッチセンサ２０３からのジェスチャー入力とし、かつ、接触検知範囲を表示部２０１と外枠２０２にする。なお、ジェスチャー入力とは、ユーザがタッチセンサ２０３をなぞることに応じてタッチセンサ２０３から取得される座標をマイコン３０１が検出し、その座標によって表される移動経路からパターン認識する。なお、第２実施形態のタッチセンサ２０３の一例としては、ジェスチャー入力を認識可能な、例えば静電容量式タッチセンサなどが挙げられる。
【００２７】
次に図８のフローチャートを用いて、第２実施形態の撮像装置１００による一連の処理について説明する。第２実施形態では、マイコン３０１が、タッチパネル１０３が反転収納されているか否かを判断して、タッチセンサ２０３の接触検知範囲を変更すると供に、タッチセンサ２０３を用いたユーザインターフェースの操作方法を変更する。
【００２８】
すなわち、
タッチパネル１０３が図１（ｄ）のような閉位置の状態にある場合：
・タッチセンサ２０３へのタッチ操作の有効範囲（接触検知の有効範囲）を図２（ｃ）のように表示部２０１と外枠２０２を含む範囲とし、
・表示部２０１に操作用のアイテムを表示し、アイテムの表示に対応した領域へのタッチ操作に応じてユーザの操作入力を検出する第１のユーザインターフェースを提供する。また、
タッチパネル１０３が図１（ｄ）のような閉位置以外の状態にある場合：
・タッチセンサ２０３へのタッチ操作の有効範囲（接触検知の有効範囲）を図２（ｂ）のように表示部２０１の表示領域とし、
・タッチセンサ２０３の接触検知の有効範囲へのジェスチャー入力に応じてユーザの操作入力を検出する第２のユーザインターフェースを提供する。
【００２９】
なお、図８のフローチャートに示される処理は、マイコン３０１が、ＲＯＭ３０２に格納されたプログラムをＲＡＭ３０３に展開し実行することにより実現される。
【００３０】
Ｓ８０１において、マイコン３０１は、タッチパネル１０３、すなわち表示部２０１が、撮像装置本体に対して、図１（ｄ）のように反転収納されているかを判断する。この判断は、操作部３０８のより出力される、「表示部２０１が撮像装置１００の本体に対してどのような状態になっているかを示す信号」に基づいてなされる。表示部２０１が反転収納されていたら処理はＳ８０２へ進み、反転収納されていなかったらＳ８０５へ進む。
【００３１】
Ｓ８０２において、マイコン３０１は、タッチセンサ２０３より入力される座標位置の有効範囲を、図２（ｂ）に示すように、表示部２０１と外枠２０２を含めた領域にする。その後、処理はＳ８０３へ進む。Ｓ８０３において、マイコン３０１は、第２のユーザインターフェースを提供する。すなわち、マイコン３０１は、表示部２０１に表示するアイコンに対応するタッチセンサ２０３の部分より出力される接触座標をＲＯＭ３０２に格納されているジェスチャーパターンと比較して、使用者がどのようなジェスチャーを入力したかを解析する。そして、マイコン３０１は、解析されたジェスチャーパターンに従い、撮像装置１００を制御する。ジェスチャー入力の有効範囲は、図２（ｂ）のように表示部２０１とその外枠２０２である。Ｓ８０４において、マイコン３０１は画像処理部３０５を制御して、図６に示すように、電子ビューファインダ３１０上に、ジェスチャー入力の有効範囲を示す表示アイテム６０１を表示する。
【００３２】
一方、タッチパネル１０３が反転収納されていない場合、Ｓ８０５において、マイコン３０１は、タッチセンサ２０３より入力される座標位置の有効範囲を、図２（ａ）に示すように、表示部２０１のみにする。そして、Ｓ８０６において、マイコン３０１は第１のユーザインターフェースを提供する。すなわち、マイコン３０１は、表示部２０１に表示するアイコンに対応するタッチセンサ２０３の接触座標に対応した制御を、撮像装置１００に対して行う。その後、Ｓ８０４において、マイコン３０１は、タッチセンサ２０３のタッチ操作の有効範囲が表示部２０１の表示領域である旨の表示アイテム６０２を電子ビューファインダに表示する。なお、Ｓ４０４と同様に、単に表示アイテム６０１を消去するようにしてもよい。
【００３３】
以上説明したように、第２実施形態によれば、表示部２０１を反転収納して撮影を行う場合など、使用者が表示部２０１を見ることができない際でも、ジェスチャー入力により、直感的な操作が可能となる。また、その際に、タッチセンサ２０３のジェスチャー入力の有効範囲を広げる事で、ジェスチャー入力がより容易になり、操作性を向上する事が出来る。また、図１（ａ）のようにタッチパネル１０３（表示部２０１）を起立させた状態では、図７（ｂ）のように表示部２０１の外枠部が撮像装置１００を支える為に持たれたる可能性がある。そのような場合には、表示部２０１の外枠部を接触検知範囲にしない事により、撮像装置１００を支える為のユーザの接触によって撮像装置１００が操作されたと誤認識しまう事を防止できる。
【００３４】
以上説明したように、第２実施形態によれば、第１実施形態と同様に、表示部２０１の外枠２０２が撮像装置１００を支える為に持たれたる可能性がない場合には表示部２０１と外枠２０２を接触検出の有効範囲とする。そして、表示部２０１の外枠２０２が撮像装置１００を支える為に持たれたる可能性のある場合には、外枠２０２を接触検出の有効範囲にしないように制御される。これにより、誤動作を防止させ、かつ、操作性を向上させる事ができる。更に、第２実施形態によれば、タッチパネル１０３が閉位置にある場合など、ユーザが操作面をみることなく操作することが要求される場合にジェスチャー入力を行なうようにユーザインターフェースを提供すので、より操作性が向上する。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３６】
たとえば、図６や図８に示した制御は１つのハードウェアが行ってもよいし、複数のハードウェアが処理を分担することで、装置全体の制御を行ってもよい。
【００３７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３８】
たとえば、上記各実施形態では、タッチセンサ２０３におけるタッチ操作を検出するための有効範囲を変更する本体部１０１とタッチパネル１０３との位置または姿勢として、閉位置や開位置を用いたが、これに限られるものではない。また、タッチ操作の有効範囲を広げた状態として表示部２０１と外枠２０２の全体を含むようにしたが、必ずしも全てを含むようにしなくてもよい。すなわち、開位置における有効範囲よりも閉位置における有効範囲が大きくなればよい。また、上記実施形態では、タッチパネル１０３が閉位置にある状態と、それ以外の開位置にある状態との二つに分けて接触検知エリアの大きさを切り替えたが、これに限られるものではない。たとえば、複数種類の開位置のうちのいずれか（例えばタッチパネル１０３を上向きにした状態）において接触検知エリアを拡大するようにしてもかまわない。
【００３９】
また、上述した実施形態においては、本発明をビデオカメラ等の撮像装置に適用した場合を例にして説明したが、これはこの例に限定されず、装置本体に対して可動式のタッチパネルを有する装置であれば適用可能である。すなわち、本発明は、パーソナルコンピュータやＰＤＡ、携帯電話端末や携帯型の画像ビューワ、タッチパネルおよびディスプレイを備えるプリンタ装置、デジタルフォトフレーム、音楽プレーヤー、ゲーム機、電子ブックリーダーなどの電子機器に適用可能である。
【００４０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014056351.tif 000003
【図２】
2014056351.tif 000004
【図３】
2014056351.tif 000005
【図４】
2014056351.tif 000006
【図５】
2014056351.tif 000007
【図６】
2014056351.tif 000008
【図７】
2014056351.tif 000009
【図８】
2014056351.tif 000010